(57)【要約】【課題】地域に発生する多様な防災・防犯事象に合わせた緊急情報を，必要なときに必要な地域に対してラジオ放送波を介して提供できるラジオ放送局，ラジオ放送システム，およびラジオ放送方法を提供すること。【解決手段】ラジオ放送局２は，通常の放送番組に替えて緊急言語情報をラジオ放送波に乗せて送信する緊急情報送信部と，送信される緊急言語情報の冒頭に，放送提供エリア６内に配置されている自動販売機３に取り付けられた管理受信機によるラジオ放送波の音声再生をオンさせる開始サインを挿入するサイン挿入部と，送信される緊急言語情報について，放送提供エリア６をさらに細分化した細分エリア４のうち管理受信機での音声再生を行わせる細分エリア４を指定する細分エリア指定部とを有しており，サイン挿入部は，指定された細分エリア４がある場合には，指定された細分エリア４を特定する細分エリア情報を，開始サインとともに挿入する。【選択図】図１
2016226054.tif 000002
【特許請求の範囲】
【請求項１】
放送提供エリアへ向けてラジオ放送波を送信するラジオ放送局であって，
通常の放送番組に替えて緊急言語情報をラジオ放送波に乗せて送信する緊急情報送信部と，
前記緊急情報送信部により送信される緊急言語情報の冒頭に，放送提供エリア内に配置されている自動販売機に取り付けられた管理受信機によるラジオ放送波の音声再生をオンさせる開始サインを挿入するサイン挿入部と，
前記緊急情報送信部により送信される緊急言語情報について，放送提供エリアをさらに細分化した細分エリアのうち管理受信機での音声再生を行わせる細分エリアを指定する細分エリア指定部とを有し，
前記サイン挿入部は，前記細分エリア指定部により指定された細分エリアがある場合には，指定された細分エリアを特定する細分エリア情報を，前記開始サインとともに挿入するように構成されたものであることを特徴とするラジオ放送局。
【請求項２】
放送提供エリアへ向けてラジオ放送局によりラジオ放送波を送信するラジオ放送システムであって，
放送提供エリア内に配置されている自動販売機に取り付けられた管理受信機を有し，
前記ラジオ放送局は，
通常の放送番組に替えて緊急言語情報をラジオ放送波に乗せて送信する緊急情報送信部と，
前記緊急情報送信部により送信される緊急言語情報の冒頭に，管理受信機によるラジオ放送波の音声再生をオンさせる開始サインを挿入するサイン挿入部と，
前記緊急情報送信部により送信される緊急言語情報について，放送提供エリアをさらに細分化した細分エリアのうち管理受信機での音声再生を行わせる細分エリアを指定する細分エリア指定部とを有し，
前記サイン挿入部は，前記細分エリア指定部により指定された細分エリアがある場合には，指定された細分エリアを特定する細分エリア情報を，前記開始サインとともに挿入するように構成されたものであり，
前記管理受信機は，
自己が取り付けられている自動販売機が配置されている細分エリアを示す細分エリア情報を記憶する細分エリア記憶部と，
通常時には音声再生をオフさせているとともに，前記ラジオ放送局から前記開始サインを受信すると音声再生をオンするスイッチング部とを有し，
前記スイッチング部は，前記ラジオ放送局から前記開始サインとともに細分エリア情報を受信した場合には，受信した細分エリア情報と，前記細分エリア記憶部に記憶されている細分エリア情報とが一致した場合に限り，音声再生をオンするように構成されたものであることを特徴とするラジオ放送システム。
【請求項３】
請求項２に記載のラジオ放送システムであって，
前記ラジオ放送局は，放送提供エリア内で移設された管理受信機がある場合に，
対象の管理受信機を特定する識別情報とともに，
対象の管理受信機の前記細分エリア記憶部の記憶内容を移設後に記憶するべき内容に更新する更新情報をラジオ放送波に乗せて送信する更新送信部を有するものであり，
前記管理受信機は，
自己を識別する識別情報を記憶する識別情報記憶部と，
前記識別情報記憶部に記憶されている識別情報と一致する識別情報を前記ラジオ放送局から受信した場合に，その識別情報とともに受信した更新情報により，前記細分エリア記憶部の記憶内容を更新する更新部とを有するものであることを特徴とするラジオ放送システム。
【請求項４】
放送提供エリアへ向けてラジオ放送局によりラジオ放送波を送信するラジオ放送方法であって，
管理受信機が取り付けられた自動販売機が配置されている放送提供エリアを対象とし，
前記ラジオ放送局は，
通常の放送番組に替えて緊急言語情報をラジオ放送波に乗せて送信するとともに，
送信される緊急言語情報の冒頭に，管理受信機によるラジオ放送波の音声再生をオンさせる開始サインを挿入し，
送信される緊急言語情報について，放送提供エリアをさらに細分化した細分エリアのうち管理受信機での音声再生を行わせる細分エリアの指定を受け付け，
前記開始サインの挿入に際して，指定された細分エリアがある場合には，指定された細分エリアを特定する細分エリア情報を，前記開始サインとともに挿入し，
前記管理受信機は，
自己が取り付けられている自動販売機が設置されている細分エリアを示す細分エリア情報をあらかじめ記憶しており，
通常時には音声再生をオフさせているとともに，前記ラジオ放送局から前記開始サインを受信すると音声再生をオンするとともに，
前記ラジオ放送局から前記開始サインとともに細分エリア情報を受信した場合には，受信した細分エリア情報と，あらかじめ記憶している細分エリア情報とが一致した場合に限り，音声再生をオンすることを特徴とするラジオ放送方法。
【発明の詳細な説明】
【技術分野】
【０００１】
本発明は，放送提供エリアへ向けてラジオ放送を送信するラジオ放送局，ラジオ放送局とその放送提供エリア内に配置された管理受信機とによるラジオ放送システム，および，管理受信機が配置されている放送提供エリアへ向けてラジオ放送局からラジオ放送を送信するラジオ放送方法に関する。
【背景技術】
【０００２】
従来から，ラジオ放送において防災や防犯を目的とする緊急情報を取り扱うことが行われている。その一例として特許文献１に記載されているものが挙げられる。同文献の技術では，放送基地局からラジオ放送波を用いて災害情報を含む通報信号を発信することとしている。この通報信号には，通報を要する地域を示す地域コードが含まれることがある。一方，受信機側では，自身が位置する地域を示す地域情報を記憶している。そして，受信した通報信号に含まれている地域コードと自己の地域情報とを照合し，地域が一致する場合にアラームを発生させることとしている。
【先行技術文献】
【特許文献】
【０００３】
【特許文献１】特開２０１０−１７０３９８号公報
【発明の概要】
【発明が解決しようとする課題】
【０００４】
しかしながら前記した従来の技術には，次のような問題点があった。すなわち，放送基地局から通報信号が発信されても，対象の受信機からはアラーム（警告音，警告ディスプレイ表示，警告ランプなど）が発せられるにとどまる（同文献の［００３９］等）。一方，実際に地域に発生する防災・防犯事象は様々である。このため，発生した防災・防犯事象に完全に合わせた内容の注意喚起を対象地域に対して行うことは，従来の技術では必ずしもできていなかった。
【０００５】
本発明は，前記した従来の技術が有する問題点を解決するためになされたものである。すなわちその課題とするところは，地域に発生する多様な内容の防災・防犯事象に合わせた内容の緊急情報を，必要なときに必要な地域に対してラジオ放送波を介して提供できるラジオ放送局，ラジオ放送システム，およびラジオ放送方法を提供することにある。
【課題を解決するための手段】
【０００６】
本発明の一態様に係るラジオ放送局は，放送提供エリアへ向けてラジオ放送波を送信するラジオ放送局であって，通常の放送番組に替えて緊急言語情報をラジオ放送波に乗せて送信する緊急情報送信部と，緊急情報送信部により送信される緊急言語情報の冒頭に，放送提供エリア内に配置されている自動販売機に取り付けられた管理受信機によるラジオ放送波の音声再生をオンさせる開始サインを挿入するサイン挿入部と，緊急情報送信部により送信される緊急言語情報について，放送提供エリアをさらに細分化した細分エリアのうち管理受信機での音声再生を行わせる細分エリアを指定する細分エリア指定部とを有し，サイン挿入部は，細分エリア指定部により指定された細分エリアがある場合には，指定された細分エリアを特定する細分エリア情報を，開始サインとともに挿入するように構成されたものである。
【０００７】
上記態様におけるラジオ放送局では，緊急情報送信部により，通常の放送番組に替えて緊急言語情報をラジオ放送波に乗せて送信することができる。その緊急言語情報の冒頭に
は，サイン挿入部により開始サインが挿入される。開始サインは，管理受信機によるラジオ放送波の音声再生をオフからオンに転じさせる制御サインである。管理受信機は，放送提供エリア内の自動販売機に取り付けられているラジオ受信機である。ここで細分エリア指定部により，緊急言語情報について，管理受信機での音声再生を行わせる細分エリアを指定することができる。細分エリアは，放送提供エリアをさらに細分化したエリアである。サイン挿入部は，細分エリアの指定がある場合には，細分エリア情報を，開始サインとともに挿入する。細分エリア情報は，指定された細分エリアを特定する情報である。これにより，放送提供エリア内でさらに細分エリアを特定しつつ，緊急言語情報を管理受信機で音声再生させることができる。
【０００８】
本発明の別の一態様に係るラジオ放送システムは，前記態様のラジオ放送局と，その放送提供エリア内に配置されている自動販売機に取り付けられた管理受信機とを有し，管理受信機は，自己が取り付けられている自動販売機が配置されている細分エリアを示す細分エリア情報を記憶する細分エリア記憶部と，通常時には音声再生をオフさせているとともに，ラジオ放送局から開始サインを受信すると音声再生をオンするスイッチング部とを有し，スイッチング部は，ラジオ放送局から開始サインとともに細分エリア情報を受信した場合には，受信した細分エリア情報と，細分エリア記憶部に記憶されている細分エリア情報とが一致した場合に限り，音声再生をオンするように構成されたものである。
【０００９】
上記態様におけるラジオ放送システムの管理受信機では，通常時には音声再生がオフされているが，ラジオ放送局から開始サインを受信するとスイッチング部により音声再生がオンされる。ここで，受信した開始サインに細分エリア情報が付されている場合がある。この場合には，細分エリア記憶部に記憶されている，自己が取り付けられている自動販売機が配置されている細分エリアを示す細分エリア情報が参照される。両細分エリア情報が一致した場合に限り，音声再生がオンされることとなる。
【００１０】
前記態様のラジオ放送システムではさらに，ラジオ放送局は，放送提供エリア内で移設された管理受信機がある場合に，対象の管理受信機を特定する識別情報とともに，対象の管理受信機の細分エリア記憶部の記憶内容を移設後に記憶するべき内容に更新する更新情報をラジオ放送波に乗せて送信する更新送信部を有しており，管理受信機は，自己を識別する識別情報を記憶する識別情報記憶部と，識別情報記憶部に記憶されている識別情報と一致する識別情報をラジオ放送局から受信した場合に，その識別情報とともに受信した更新情報により，細分エリア記憶部の記憶内容を更新する更新部とを有するものとすることができる。
【００１１】
この場合には，放送提供エリア内で管理受信機の移設があった場合に，更新送信部により更新情報がラジオ放送波に乗せて送信される。更新情報は，対象の管理受信機を特定する識別情報とともに送信される。更新情報は，対象の管理受信機の細分エリア記憶部の記憶内容を，移設後の設置位置に合わせた内容に更新するための情報である。更新情報を受信した管理受信機では，自己の識別情報記憶部に記憶されている識別情報と，更新情報とともに受信した識別情報とを対比する。両識別情報が一致していた場合には，更新部により，更新情報に従い細分エリア記憶部の記憶内容を更新する。
【００１２】
本発明のさらに別の一態様に係るラジオ放送方法は，放送提供エリアへ向けてラジオ放送局によりラジオ放送波を送信するラジオ放送方法であって，管理受信機が取り付けられた自動販売機が配置されている放送提供エリアを対象とし，ラジオ放送局は，通常の放送番組に替えて緊急言語情報をラジオ放送波に乗せて送信するとともに，送信される緊急言語情報の冒頭に，管理受信機によるラジオ放送波の音声再生をオンさせる開始サインを挿入し，送信される緊急言語情報について，放送提供エリアをさらに細分化した細分エリアのうち管理受信機での音声再生を行わせる細分エリアの指定を受け付け，開始サインの挿
入に際して，指定された細分エリアがある場合には，指定された細分エリアを特定する細分エリア情報を，開始サインとともに挿入し，管理受信機は，自己が取り付けられている自動販売機が設置されている細分エリアを示す細分エリア情報をあらかじめ記憶しており，通常時には音声再生をオフさせているとともに，ラジオ放送局から開始サインを受信すると音声再生をオンするとともに，ラジオ放送局から開始サインとともに細分エリア情報を受信した場合には，受信した細分エリア情報と，あらかじめ記憶している細分エリア情報とが一致した場合に限り，音声再生をオンする方法である。
【００１３】
ここにおけるラジオ放送局における処理は，通常の放送番組に替えて緊急言語情報をラジオ放送波に乗せて送信するのに先立ち，放送提供エリアをさらに細分化した細分エリアのうち管理受信機での音声再生を行わせる細分エリアの指定を受け付け，管理受信機の音声再生をオンさせる開始サインをラジオ放送波に乗せて送信するとともに，指定された細分エリアがある場合には，指定された細分エリアを特定する細分エリア情報を合わせて送信し，その後に緊急言語情報をラジオ放送波に乗せて送信する，というものであってもよい。また，管理受信機における処理は，自己が取り付けられている自動販売機が設置されている細分エリアを示す細分エリア情報をあらかじめ記憶しており，通常時には音声再生をオフさせており，ラジオ放送局から開始サインを受信すると音声再生をオンするとともに，ラジオ放送局から開始サインとともに細分エリア情報を受信した場合には，受信した細分エリア情報と，あらかじめ記憶している細分エリア情報とが一致した場合に限り，音声再生をオンする，というものであってもよい。
【発明の効果】
【００１４】
本構成によれば，地域に発生する多様な内容の防災・防犯事象に合わせた内容の緊急情報を，必要なときに必要な地域に対してラジオ放送波を介して提供できるラジオ放送局，ラジオ放送システム，およびラジオ放送方法が提供されている。
【図面の簡単な説明】
【００１５】
【図１】実施の形態に係るラジオ放送システムを示す模式図である。
【図２】実施の形態におけるラジオ放送局の構成を示すブロック図である。
【図３】ラジオ放送局と接続されている公的部署のサテライトスタジオの構成を示すブロック図である。
【図４】実施の形態における管理受信機の構成を示すブロック図である。
【図５】実施の形態のラジオ放送局における割込放送の指示画面を示す模式図である。
【図６】実施の形態のラジオ放送局におけるグループ放送の指示画面を示す模式図である。
【図７】実施の形態における割込放送の内容を示すタイミングチャートである。
【図８】実施の形態における管理受信機の動作を示すフローチャートである。
【図９】実施の形態における書き換え指示放送の内容を示すタイミングチャートである。
【図１０】実施の形態における書き換えモードの内容を示すフローチャートである。
【図１１】実施の形態に係るラジオ放送システムの運営システムを示すブロック図である。
【発明を実施するための形態】
【００１６】
以下，本発明を具体化した実施の形態について，添付図面を参照しつつ詳細に説明する。本形態は，図１に示すラジオ放送システム１に本発明を適用したものである。図１のラジオ放送システム１は，ラジオ放送局２を中心に構成されている。ラジオ放送局２は，その周囲の放送提供エリア６へ向けてラジオ放送波を送信する設備である。本形態では，ラジオ放送局２はコミュニティＦＭ局であるものとする。ただし本発明としては，ラジオ放
送局２はコミュニティＦＭ局に限定される訳ではなく，一般ＦＭ局，中波ＡＭ局，短波ＡＭ局，長波ＡＭ局であってもよい。
【００１７】
図１に示されるように放送提供エリア６内には，多数の管理自動販売機３が配置されている。管理自動販売機３は，飲料その他の物品やサービスを無人で利用者に提供する装置であって，ラジオ放送システム１としてその存在を把握しているものである。ただし，管理自動販売機３とラジオ放送局２とが同一の所有者に帰属している必要はない。管理自動販売機３は，自動販売機としての一般的な機能を有する他に，後述する管理受信機３０を内蔵している。
【００１８】
本形態では，管理自動販売機３は清涼飲料その他の飲料の自動販売機であるものとする。ただし本発明としては，管理自動販売機３は飲料の自動販売機に限定される訳ではなく，他の物品（例．食品，嗜好品，乾電池等）の自動販売機であってもよい。あるいは，物品ではなくサービスを無人で提供する装置（例．コインランドリーの洗濯機，コイン洗車場の洗車機，コイン駐車場の料金徴収装置，コイン精米機等）であってもよい。
【００１９】
また，放送提供エリア６は，さらに細かい細分エリア４に細分化されている。細分エリア４は，個々の管理自動販売機３の配置されている地区を特定するための概念であり，人々が実生活で認識している地区割りをそのまま細分エリア４としてかまわない。本形態では，すべての管理自動販売機３が必ずどこかの細分エリア４に所属している。中には，複数の細分エリア４に同時に所属している管理自動販売機３もありうる。具体的には，人々が実生活で認識している地区割りにおける境界付近に配置されている管理自動販売機３は，その境界の両側の地区割りに対応する細分エリア４のいずれにも所属していることとされる。
【００２０】
なお，放送提供エリア６内には，管理自動販売機３の管理受信機３０以外に，一般の聴取者が所有する一般ラジオ受信機や，通行する自動車に搭載された車載ラジオ受信機も事実上存在している。ただしこれらについては，ラジオ放送システム１としてその存在を把握している訳ではない。
【００２１】
本形態のラジオ放送システム１におけるラジオ放送局２について，図２により説明する。図２に示すラジオ放送局２は，局舎２０と送信アンテナ２９とを有している。局舎２０には，送信装置２１，割込装置２２，番組システム２３，主制御サーバ２４，メディアコンバータ２５，操作部２６，マイク２７，データファイル２８が設けられている。このうち主制御サーバ２４は，ラジオ放送局２の全体の統括制御を行うものである。
【００２２】
ラジオ放送局２での定時番組の送信は主として，送信装置２１，番組システム２３，主制御サーバ２４により行われる。すなわち，番組システム２３には定時番組表が内蔵されている。その内容に基づき，主制御サーバ２４が送信装置２１を制御して番組が送信される。ここで，原音声を搬送波に重畳する，ラジオ送信のための変調処理は，送信装置２１にて行われる。また，適宜，マイク２７からのアナウンス音声をリアルタイムで送信したり，キー局から提供される番組を再送信したりすることもできる。主制御サーバ２４の操作は，操作部２６により行われる。こういった定時番組の送信は，管理自動販売機３の管理受信機３０で音声再生させる目的ではなく，放送提供エリア６内の一般ラジオ受信機や車載ラジオ受信機で音声再生させる目的のために行われる。割込装置２２，メディアコンバータ２５，データファイル２８は，後述する割込放送のためのものである。
【００２３】
ラジオ放送局２は，自治体等の公的部署と繋がっている。公的部署にはこのため，図３に示すサテライトスタジオ５が設置されている。サテライトスタジオ５には，Ｊ−ＡＬＥＲＴ受信機５１，副制御サーバ５２，操作部５３，マイク５４，メディアコンバータ５５
が設けられている。ラジオ放送局２とサテライトスタジオ５とは，メディアコンバータ２５およびメディアコンバータ５５を介して接続されている。サテライトスタジオ５は主として，公的部署からの遠隔操作により，ラジオ放送局２から緊急放送やグループ緊急放送を行うためのものである。サテライトスタジオ５の全体の統括制御は，副制御サーバ５２により行われる。
【００２４】
続いて管理自動販売機３について，図４により説明する。管理自動販売機３のうち自動販売機としての一般的な機能は，公知のものと別段違いがないので説明を省略する。管理自動販売機３は前述のように管理受信機３０を内蔵している。管理受信機３０は，受信回路３２，制御装置３３，データファイル３４，音声再生部３５を有している。管理受信機３０にはまた，受信アンテナ３１が付設されている。制御装置３３が，管理受信機３０の統括制御を行っている。また，図示は省略するが，管理受信機３０への電力供給は，管理自動販売機３から行われるようになっている。
【００２５】
受信回路３２は，受信アンテナ３１を介して受信したラジオ放送波の同調，復調を行う回路である。その機能自体は一般的なラジオ受信機におけるものと同じである。ただし同調周波数が，ラジオ放送局２の送信周波数に固定されている。受信回路３２で得られる音声信号は，ラジオ放送局２から送信される放送内容そのものである。この音声信号が，制御装置３３を経て音声再生部３５へ送られる。音声再生部３５は，音声信号を受けてそれを音声として再生するスピーカである。ただし通常状態では，音声再生部３５での音声再生はオフされている。このため通常状態では，ラジオ放送局２からの放送内容が音声再生部３５で再生され，管理自動販売機３の周囲に聞こえてしまうことはない。
【００２６】
ラジオ放送局２からの放送内容を音声再生部３５で再生するのは，後述する割込放送の場合に限られる。そのために音声再生部３５での音声再生を自動的にオンする制御が，制御装置３３により行われる。データファイル３４にはそのために必要なデータが格納されている。
【００２７】
続いて，割込放送について説明する。これには，防災・防犯の観点から，放送提供エリア６内にいる人々に必要な情報や注意喚起のメッセージを緊急に伝達する目的で，ラジオ放送局２から放送される緊急放送，グループ緊急放送が含まれる。なお，割込放送を送信する場合には，通常の放送番組の放送は一旦中断される。
【００２８】
まず，本形態のラジオ放送システム１における，割込放送のための特別の機能を説明する。ラジオ放送局２，管理受信機３０のそれぞれに，割込放送のための特別の機能がある。また，サテライトスタジオ５のＪ−ＡＬＥＲＴ受信機５１も，割込放送の一種である一斉緊急放送のためのものである。
【００２９】
ラジオ放送局２（図２）においては，割込装置２２と主制御サーバ２４とが，割込放送のための特別の機能を有している。また，データファイル２８には，割込放送のために必要な種々のデータが格納されている。
【００３０】
割込装置２２は，番組システム２３からの定時番組の音声と，マイク２７からの生アナウンス音声と，サテライトスタジオ５からメディアコンバータ２５を介して受けた音声とのうちいずれか１つを送信装置２１に送り込むものである。通常時には原則として番組システム２３からの定時番組の音声を送信装置２１に送るようになっている。割込放送の際には，割り込み処理が行われる。つまり，番組システム２３からの音声の提供を中止させ，替わってマイク２７からのアナウンス音声や，サテライトスタジオ５のＪ−ＡＬＥＲＴ受信機５１からの緊急情報音声を送信装置２１へ送り込むのである。この割り込み処理は，主制御サーバ２４，もしくはサテライトスタジオ５の副制御サーバ５２が割込装置２２
を制御することで行う。こうして，割込放送の際にはラジオ放送局２は，通常の放送番組に替えて緊急言語情報をラジオ放送波に乗せて送信するのである。
【００３１】
データファイル２８には，制御サイン一覧（表１），地区名一覧（表２），個別ＩＤ一覧（表３），の各データ一覧表が格納されている。表１の制御サイン一覧は，管理受信機３０を制御するためのコマンドを示すサインの一覧である。表２の地区名一覧は，前述の細分エリア４の個々の名称，および割り付けられている地区ＩＤ（細分エリア情報）の一覧である。表３の個別ＩＤ一覧は，ラジオ放送システム１として把握している，放送提供エリア６内の各管理受信機３０を個別に識別するための個別ＩＤ（識別情報），および各管理受信機３０の所属する細分エリア４の地区ＩＤの一覧である。表３中の個別ＩＤ「０００２」は，２つの細分エリア４に所属している管理受信機３０の例である。
【００３２】
【表１】
2016226054.tif 000003
【００３３】
【表２】
2016226054.tif 000004
【００３４】
【表３】
2016226054.tif 000005
【００３５】
【表４】
2016226054.tif 000006
【００３６】
管理受信機３０（図４）においては，前述のように制御装置３３が，割込放送のための特別の機能を有している。また，データファイル３４には，割込放送のために必要な表４のデータ，すなわち自己の個別ＩＤおよび自己に割り付けられている地区ＩＤが格納されている。表４に示すのは，個別ＩＤ「０００１」の管理受信機３０の場合のものである。各管理受信機３０のデータファイル３４に格納されているのは，前述の表３の個別ＩＤ一覧における自己の個別ＩＤの欄と同じデータである。
【００３７】
割込放送を実施するときは，図２の操作部２６に図５の指示画面を表示する。ラジオ放送局２においては，必要なときにはいつでも操作部２６に図５の指示画面を呼び出すことができるようにされている。図５の指示画面中には，「放送」，「データベース」の２つのタブがあり，図５に示されているのは放送タブ３６が選択されている状態である。この状態での指示画面中には，「緊急放送」，「一斉放送」，「グループ放送」の３つのボタンが設けられている。データベースタブ３７については後述する。
【００３８】
３つのボタンのうちの緊急放送ボタン３８は，表１中の「一斉緊急放送」を行うための指示ボタンである。一斉緊急放送とは，図１の放送提供エリア６のすべての管理受信機３０を最大音量にして音声再生させる放送である。一斉放送ボタン３９は，表１中の「一斉一般放送」を行うための指示ボタンである。一斉一般放送とは，放送提供エリア６のすべての管理受信機３０に音声再生させるが，最大音量にまではさせない放送である。グループ放送ボタン４０は，放送提供エリア６のうち特定の細分エリア４（グループ）に属する管理受信機３０にのみ音声再生させる放送を行うための指示ボタンである。このような放送には，表１中の「グループ緊急放送」（最大音量）と「グループ一般放送」（非最大音量）とがある。
【００３９】
グループ放送ボタン４０が押された場合について，以下に説明する。グループ放送ボタン４０が押されると，図６の指示画面に移行する。図６の指示画面中の左上付近には，「グループ通常」，「グループ緊急」の放送形式選択部４１がある。図６では「グループ緊急」が選択されている状態にある。その下に，「放送するグループ」の表示欄４２がある。この表示欄４２は，表２の地区名のうち，放送の音声再生をさせる地区として選択されている地区名が表示される欄である。この表示欄４２の下に，放送ボタン４３と中止ボタン４４とが設けられている。
【００４０】
また，図６の指示画面中の右半分には，「グループを選択」というチェック欄４５がある。この欄には，表２の各地区名が，チェックボックスとともに表示されている。このチェックボックスにチェックを入れると，該当する地区名が左側の表示欄４２の中に表示されるようになっている。むろん，チェックを外すと，外したチェックボックスに該当する地区名の表示が表示欄４２から消去される。このようにして図６の画面で，放送の音声再生を行わせる地区を指定することができる。図６には，チェック欄４５のうち上の３つの地区が選択されている状況が示されている。
【００４１】
図６の状態の指示画面で左下の放送ボタン４３が押されると，グループ緊急放送の送信が実行される。すなわち図７に示すように，まず時刻Ｔ１で通常番組の放送を中断する。そして，開始サインを送信する。開始サインとは，管理受信機３０に割込放送の開始を告知する制御サインである。すなわち，表１中の「＃００１」〜「＃００４」の４つが開始サインであり，そのうちの１つが送信される。ここでは，グループ緊急放送の送信であるから「＃００３」が送信される。
【００４２】
開始サインの送信に引き続き，地区ＩＤを送信する。ここで送信される地区ＩＤとは，表２中の「地区ＩＤ」であって，図６のチェック欄４５でチェックが入っている地区名に対応するものである。図６から分かるように，ここで送信される地区ＩＤは１つだけとは限らない。
【００４３】
その後，メッセージ（緊急言語情報）の送信がなされる。具体的には，図２のラジオ放送局２におけるマイク２７からのアナウンス音声が送信される。ここで想定されるアナウンスの文例としては，
『○○町１丁目にて不審者出現情報が寄せられています。該当地域の皆様におかれまして
はご注意をお願いします。』
などというものが挙げられる。なお，あらかじめアナウンスを録音してデータファイル２８に保存しておくこともできる。その場合，マイク２７からの生アナウンスの代わりに，保存してあるアナウンスを図７中のメッセージとして送信することができる。また，音節や単語の単位で音声を録音しておき，それらを組み合わせてアナウンス文として送信することもできる。
【００４４】
アナウンスが終了すると，終了サインを送信する。終了サインとは，管理受信機３０に割込放送の開始を告知する制御サインである。すなわち，表１中の「＃００５」のことである。終了サインの送信を終了すると（図７中の時刻Ｔ２），通常番組の放送を再開する。ここにおける時刻Ｔ１から時刻Ｔ２までが割込放送である。なお上記において，開始サイン，地区ＩＤ，終了サインはいずれも，ＤＴＭＦ信号である。また，アナウンスと同様に送信装置２１による変調を受けてラジオ放送波として送信される。
【００４５】
上記において，図６中の放送形式選択部４１で「グループ通常」が選択されている状態で放送ボタン４３が押されると，グループ緊急放送ではなくグループ一般放送の送信が実行される。この場合には開始サインが表１中の「＃００４」となる。その点以外は上記と同様である。図６の画面で中止ボタン４４が押されると，割込放送がなされることなく画面が閉じられる。この場合，それまでにしたチェック欄４５での地区名の選択は破棄される。
【００４６】
図６の画面に至る前の図５の画面で，緊急放送ボタン３８を押すと，一斉緊急放送の送信が実行される。この場合，図７中の開始サインは表１の「＃００１」とされる。また，地区ＩＤの送信はなされない。メッセージの送信の後に終了サイン「＃００５」が送信される点は上記と同じである。図５の画面で，一斉放送ボタン３９を押すと，一斉一般放送の送信が実行される。この場合，開始サインは表１の「＃００２」とされる。その点以外は一斉緊急放送の場合と同じである。
【００４７】
上記のことは，ラジオ放送局２の操作部２６およびマイク２７で行う代わりに，図３に示したサテライトスタジオ５の操作部５３およびマイク５４により行うこともできる。また，Ｊ−ＡＬＥＲＴ受信機５１が全国瞬時警報システムの緊急放送を受信した場合には，自動的に一斉緊急放送の送信が実行される。また，上記のような割込放送の内容を制御サインごと，番組システム２３中に定時番組の一環として含めておくこともできる。
【００４８】
続いて，管理自動販売機３の管理受信機３０（図４）における処理を説明する。管理受信機３０では，受信回路３２および制御装置３３が常時オン状態にある。つまり管理受信機３０では，ラジオ放送局２から受信したラジオ放送波の復調およびその内容の監視を常に行っている。ただし前述のように音声再生部３５による音声再生はオフされている。
【００４９】
図８に，管理受信機３０の制御装置３３における処理の内容を示す。制御装置３３は常時，受信内容にＤＴＭＦ信号が含まれているか否かを監視している（Ｓ１）。受信内容が通常の番組（アナウンスや音楽等）である限り，ＤＴＭＦ信号を受信したと判定されることない（Ｓ１：Ｎｏ）。したがってこの場合には，そのまま，音声再生がオフである状態が維持される。
【００５０】
ラジオ放送局２が割込放送を実行すると，その冒頭の開始サイン（図７参照）により制御装置３３では，ＤＴＭＦ信号を受信したと判定する（Ｓ１：Ｙｅｓ）。すると次に，当該開始サインが，「一斉」の割込放送に係るものであるか否かを判定する（Ｓ２）。具体的には，表１の「＃００１」（一斉緊急放送）もしくは「＃００２」（一斉一般放送）である場合にＹｅｓと判定し，それ以外の場合にはＮｏと判定する。
【００５１】
Ｓ２でＹｅｓと判定された場合には，その開始サインが「緊急」に係るものであるか否かを判定する（Ｓ５）。具体的には，「＃００１」である場合にＹｅｓと判定し，「＃００２」である場合にはＮｏと判定する。「＃００１」であった場合には（Ｓ５：Ｙｅｓ），音声再生をオンするとともに音量を最大にする（Ｓ６）。「＃００２」であった場合には（Ｓ５：Ｎｏ），音声再生をオンするが音量調整はそのままとする（Ｓ７）。この場合には図７中の「地区ＩＤ」はないので，「メッセージ」の内容が管理受信機３０の音声再生部３５で再生される。これにより，「メッセージ」の内容が管理自動販売機３の周囲にいる人に聞こえる状態となる。特に「緊急」の場合にはこの音声再生が最大音量でなされ，周囲の人々に強く注意を促すことになる。この場合の音声再生は，細分エリア４に関わらず放送提供エリア６内のすべての管理自動販売機３にて行われる。
【００５２】
この状態でさらに制御装置３３は，受信内容に図７中の終了サイン（表１の「＃００５」）が現れるか否かを監視している（Ｓ８）。終了サインを受信するまでは（Ｓ８：Ｎｏ），メッセージの音声再生を続行する。終了サインを受信すると（Ｓ８：Ｙｅｓ），音声再生をオフに戻す（Ｓ９）。このため，その後に再開される通常番組の内容が管理受信機３０で再生されてしまうことはない。その後制御装置３３は，受信内容中のＤＴＭＦ信号の有無を監視するＳ１の状態に戻る。
【００５３】
上記においてＳ２の判定がＮｏであった場合には，その開始サインが「グループ」に係るものであるか否かを判定する（Ｓ３）。具体的には，表１の「＃００３」（グループ緊急放送）もしくは「＃００４」（グループ一般放送）である場合にＹｅｓと判定し，それ以外の場合にはＮｏと判定する。この判定がＮｏであった場合の処理については後述する。
【００５４】
Ｓ３の判定がＹｅｓであった場合には，その後に引き続き受信する地区ＩＤ（図７参照）と，自己のデータファイル３４に格納されている地区ＩＤとを対比する（Ｓ４）。両者が一致していれば（Ｓ４：Ｙｅｓ），前述のＳ５に移行する。地区ＩＤの一致がなかった場合には（Ｓ４：Ｎｏ），何もせずそのまま前述のＳ１の状態に戻る。なお，受信した地区ＩＤと自己のＩＤとはいずれも，複数ありうるが，どこか１つでも一致があればＹｅｓと判定する。
【００５５】
地区ＩＤが一致していた管理自動販売機３ではその後，前述のＳ５およびそれ以下と同じ処理が行われる。ただしこの場合のＳ５では，開始サインが「＃００３」である場合にＹｅｓと判定し，「＃００４」である場合にはＮｏと判定する。よって，前述の図６のチェック欄４５でチェックボックスにチェックを入れた地区に対して割り付けられている管理自動販売機３に限り，「メッセージ」の内容が管理受信機３０の音声再生部３５で再生される。特に「緊急」の場合にはこの音声再生が最大音量でなされる。それ以外の地区の管理自動販売機３では音声再生はなされない。このように対象とする地区を限定し，当該地区に対してのみ，その地区に特化した防災・防犯メッセージを届けることができる。
【００５６】
なお，「＃００１」〜「＃００４」のいずれの割込放送の場合でも，放送提供エリア６内に存在する一般ラジオ受信機や車載ラジオ受信機においては，図７の内容がＤＴＭＦ信号（開始サイン，地区ＩＤ，終了サイン）を含めてすべて音声再生されることになる。これは，細分エリア４には関係なく，また音量設定はその時点での状態のまま変更されずに行われる。
【００５７】
次に，管理自動販売機３の放送提供エリア６内での移設があった場合について説明する。移設された管理自動販売機３においては，地区ＩＤの割り付けを変更する必要が生じる場合がある。細分エリア４を跨いで移設された場合や，跨がなかった場合でも境界へ接近
する移設あるいは境界から離れる移設であった場合である。管理自動販売機３中の管理受信機３０のみを他の場所の自動販売機に移設した場合も同様である。このような場合の当該管理受信機３０のデータファイル３４の内容（表４）の書き換えを，本形態のラジオ放送システム１では，ラジオ放送局２側からの遠隔操作により行うことができる。
【００５８】
この場合には操作部２６にて前述の図５の指示画面を呼び出す。そしてデータベースタブ３７を選択する。すると，書き換え対象の管理受信機３０の個別ＩＤを指定した上で，詳細な図示は省略するが，図６中のチェック欄４５とほぼ同様の画面が表示される。すなわちそこには，各地区名がチェックボックスとともに表示されている。そして，移設前の割り付けに従って，チェックボックスにはチェックが入れられている。ここで，移設に伴いチェックの入れ方を変更した上で当該画面を終了すればよい。これにより，ラジオ放送局２のデータファイル２８における前述の表３の内容が更新される。この操作そのものは，サテライトスタジオ５の操作部５３から行うこともできる。
【００５９】
ただ，これだけでは対象の管理受信機３０のデータファイル３４はそのままである。そこでこの場合にはラジオ放送局２から，図９に示す書き換え指示放送を送信する。図９の最初の「開始サイン」は，図７の開始サインと異なり，管理受信機３０に書き換えモードの開始を告知する制御サインである。具体的には表１の「＃００６」である。続く「個別ＩＤ」は，書き換え対象の管理受信機３０の個別ＩＤである。
【００６０】
その次の「消去サイン」は，表１の「＃００７」である。消去サインに引き続き，地区ＩＤが送信される。これは，先のチェックボックスの操作で，もともとチェックが入っていたのに外された地区名に相当する地区ＩＤである。その次の「追加サイン」は，表１の「＃００８」である。追加サインに引き続き，地区ＩＤが送信される。むろんこれは，もともとチェックが入っていなかったのに新たに入れられた地区名に相当する地区ＩＤである。その後の「終了サイン」は，図７の終了サインと同じく表１中の「＃００５」である。この図９の内容が，データファイル３４の記憶内容を移設後に記憶するべき内容に更新する更新情報である。この書き換え指示放送も，送信装置２１を介してラジオ放送波に乗せて送信される。
【００６１】
また，図９の書き換え指示放送は，好ましくは，ラジオ放送局２のデータファイル２８の書き換えの直後ではなく，深夜帯等の聴取者が少ない時間帯の，あらかじめ定めた時刻に放送することが望ましい。書き換え指示放送の内容であるＤＴＭＦ信号は，一般のラジオ受信機で可聴な音声として再生されてしまうからである。ただ，書き換え指示放送の所要時間は数秒程度で済むので，これが一般の聴取者に聞かれたとしても特に問題はない。
【００６２】
続いて，図９の書き換え指示放送があった場合の管理受信機３０側の処理を説明する。書き換え指示放送を受けての管理受信機３０の制御装置３３における処理も，図８のフローチャートにより行われる。管理受信機３０で書き換え指示放送を受信すると，図８のフロー中では，Ｓ１でＹｅｓと判定され，そしてＳ２，Ｓ３でいずれもＮｏと判定される。先頭の制御サイン（ＤＴＭＦ信号）が「＃００１」〜「＃００４」のいずれでもないからである。
【００６３】
このためＳ１０へ進み，書き換え指示であるか否かが判定される。すなわち，先頭の制御サインが表１の「＃００６」であるか否かが判定される（Ｓ１０）。書き換え指示であった場合には（Ｓ１０：Ｙｅｓ），指示の対象が自己であるか否かが判定される（Ｓ１１）。具体的には，「＃００６」の次に受信した個別ＩＤが，自己のデータファイル３４に記憶されている個別ＩＤ（表４参照）と同じであるか否かを判定する。同じであった場合には（Ｓ１１：Ｙｅｓ），自己への指示であるため，Ｓ１２の書き換えモードへ進む。自己への指示でなかった場合には（Ｓ１１：Ｎｏ），何もせずそのまま前述のＳ１の状態に
戻る。なお，Ｓ１０で先頭の制御サインが書き換え指示でなかった場合には（Ｓ１０：Ｎｏ），何らかのエラーであると考えられるが，やはり何もせずそのまま前述のＳ１の状態に戻る。
【００６４】
次に書き換えモードの具体的内容を，図１０により説明する。書き換えモードではまず，制御サインが消去指示（表１の「＃００７」）であるか否かが判定される（Ｓ２１）。ここで判定対象となる制御サインは，前述のＳ１１での判定に供した個別ＩＤの次に受信したＤＴＭＦ信号である。正常な書き換え指示放送であれば必ずＹｅｓの判定となる筈である。
【００６５】
次に，消去指示の次に受信したＤＴＭＦ信号が，自己のデータファイル３４に登録のある地区ＩＤと同じであるか否かを判定する（Ｓ２２）。登録があった場合には（Ｓ２２：Ｙｅｓ），自己のデータファイル３４（表４）の地区ＩＤ欄から，該当するものを消去する（Ｓ２３）。それとともに判定対象を，次に受信したＤＴＭＦ信号にシフトする。
【００６６】
続いて，判定対象のＤＴＭＦ信号が，追加指示（表１の「＃００８」）であるか否かが判定される（Ｓ２４）。追加指示であった場合には（Ｓ２４：Ｙｅｓ），追加指示の次のＤＴＭＦ信号が地区ＩＤであるか否かを判定する（Ｓ２５）。地区ＩＤであった場合には（Ｓ２５：Ｙｅｓ），その地区ＩＤを自己のデータファイル３４（表４）の地区ＩＤ欄に追加する（Ｓ２６）。それとともに判定対象を，次に受信したＤＴＭＦ信号にシフトする。判定対象のＤＴＭＦ信号が図９中の「終了サイン」（表１の「＃００５」）に至ると，Ｓ２５でＮｏと判定され，書き換えモードは終了する。その後は図８中のＳ１の状態に戻る。
【００６７】
上記において，図９中の消去サインの後の地区ＩＤが複数あることもありうる。その場合，Ｓ２３の処理の次のＳ２４でＮｏと判定される。このため，先頭の地区ＩＤから順に（Ｓ２２：Ｙｅｓ）→Ｓ２３による消去がなされる。消去が終了すると判定対象のＤＴＭＦ信号が図９中の追加サインとなり，Ｓ２４の判定がＹｅｓとなる。一方，図９中の消去サインの後に地区ＩＤが１つもなく，直ちに追加サインが続いていることもありうる。この場合には，（Ｓ２１：Ｙｅｓ）の直後のＳ２２でＮｏと判定される。このため，地区ＩＤの消去が行われることなく（Ｓ２４：Ｙｅｓ）の判定に至る。
【００６８】
また，図９中の追加サインの後の地区ＩＤが複数あることもありうる。その場合，（Ｓ２５：Ｙｅｓ）→Ｓ２６の処理が繰り返される。追加が終了すると判定対象のＤＴＭＦ信号が図９中の終了サインとなり，Ｓ２５の判定がＮｏとなる。一方，図９中の追加サインの後に地区ＩＤが１つもなく，直ちに終了サインが続いていることもありうる。この場合には，（Ｓ２４：Ｙｅｓ）の直後のＳ２５でＮｏと判定される。このため，地区ＩＤの追加が行われることなく書き換えモードを終了する。
【００６９】
このようにして，管理受信機３０そのものに対して直接に何らかの操作を行うことなく，データファイル３４の内容が書き換えられる。このとき管理受信機３０で音声再生が行われることはない。よって，管理自動販売機３の移設作業自体は，管理受信機３０を搭載していない一般の自動販売機の移設の場合と同様でよい。ただ，移設後の位置のラジオ放送システム１への届出がなされればよい。
【００７０】
本形態のラジオ放送システム１の運営システムについて，図１１により簡単に説明する。図１１の運営システムには，前述のラジオ放送局２と公的部署５０の他，自動販売機供給業者（自動販売機のメーカーまたはその代理店）６０，自動販売機設置業者７０が含まれている。ここで，ラジオ放送局２と公的部署５０との間には，防災・防犯協定が締結されている。この協定に応じて公的部署５０からラジオ放送局２へ防災・防犯情報が提供さ
れ，前述の放送がなされる。
【００７１】
また，公的部署５０から，自動販売機供給業者６０，自動販売機設置業者７０に対してシステム普及への協力要請がなされている。ラジオ放送局２から自動販売機供給業者６０に対して，管理自動販売機３の製造のためのライセンスが付与される。そして自動販売機供給業者６０から自動販売機設置業者７０へ，管理自動販売機３が供給される。ラジオ放送局２から自動販売機設置業者７０に対し，音声提供や商標使用についてのライセンスが付与される。そして自動販売機設置業者７０からラジオ放送システム１へと，ライセンスフィーが支払われる。その額は，管理自動販売機３での商品の販売数量に応じたものとすることもできる。
【００７２】
上記において，自動販売機供給業者６０からラジオ放送局２へのライセンスフィーは，自動販売機設置業者７０を介さず直接にラジオ放送局２に支払われる形態であってもよい。また，自動販売機設置業者７０が本システム中で果たす役割については，管理自動販売機３で販売される商品（飲料等）の供給業者（メーカーまたはその販社）が集約して果たす形態になっていてもよい。また，上記ではラジオ放送局２自身が本システムの中心的位置にいるが，本システムの運営のための運営会社を別に設けてもよい。
【００７３】
以上詳細に説明したように本実施の形態によれば，割込放送に際して所定の開始サインをラジオ放送局２から送信し，管理受信機３０の音声再生をオンさせるようにしている。これにより，通常放送の音声を管理受信機３０で再生してしまうことなく，割込放送の音声のみを管理自動販売機３の周囲に届けることができる。特に，「グループ」の設定により，放送提供エリア６の中でも特定の細分エリア４のみを対象として，当該地区に密着した内容のメッセージを届けることができる。また，「緊急」の設定により，管理受信機３０での音声再生を最大音量で行うことができる。上記のようにして，防災・防犯の効果の高いラジオ放送システム１，およびそのラジオ放送局２，ラジオ放送方法が実現されている。
【００７４】
ここで本形態では上記のように，管理受信機３０を管理自動販売機３に内蔵させている。自動販売機は一般に放送提供エリア６内に多数存在するので，本実施のラジオ放送システム１によるサービスを地域内に広く行き渡らせることができる。また，一般的に自動販売機はその管理者により適切に管理されているので，管理受信機３０の管理も自動販売機の管理者に委ねることができる。その一方で管理者としては，管理受信機３０の管理のための特別な作業負担は最小限で済む。
【００７５】
なお，本実施の形態は単なる例示にすぎず，本発明を何ら限定するものではない。したがって本発明は当然に，その要旨を逸脱しない範囲内で種々の改良，変形が可能である。
【００７６】
例えば，本実施の形態では，開始サインその他の制御サインや地区ＩＤ，個別ＩＤをＤＴＭＦ信号の形式で送信することとした。しかしこれは必須ではない。ＤＴＭＦ以外の別の方式により信号化してラジオ放送波に乗せるものであってもよい。また，管理受信機３０においては，受信した各種制御サインについて，一般番組の内容の場合と同様の復調を掛けてから各種判定に供することとした。しかしこれも必須ではない。復調前の状態，すなわち搬送周波数による変調が掛かった状態のままで各種判定を行う構成も可能である。
【００７７】
また，本実施の形態では，サテライトスタジオ５が設置されていることとしたが，これも必須ではない。ラジオ放送局２の局舎２０内ですべての処理を行う形態も可能である。Ｊ−ＡＬＥＲＴ受信機５１を局舎２０に設置すれば，そのような形態であっても全国瞬時警報システムからの緊急放送に対応できる。
【００７８】
また，本実施の形態では，グループ設定のある割込放送（グループ緊急放送，グループ一般放送）と，グループ設定のない割込放送（一斉緊急放送，一斉一般放送）とのいずれをも行うものとした。しかしながら，グループ設定のある割込放送のみを行うものであっても本発明の対象範囲内である。その場合でも，図６のチェック欄４５で，すべてのチェックボックス（地区名が未設定のものは除く）にチェックを入れることにより，放送提供エリア６全体への割込放送は事実上可能である。ただし，同時に指定できるグループ数に上限があり，総グループ数がこの上限を超えている場合は除く。
【００７９】
また，割込放送の開始を意味する開始サインとして表１で，「一斉」のものと「グループ」のものとでサインを分けたが，このことも必須ではない。「一斉」と「グループ」とで開始サインを共有する方式であってもよい。この場合の管理受信機３０では，開始サインの後に直ちにメッセージが始まれば「一斉」と見なし，開始サインとその後のメッセージとの間に地区ＩＤが挿入されていれば「グループ」と見なすこととすればよい。
【００８０】
また，本実施の形態の管理受信機３０では，音量調整が可能であることを前提としつつ，「緊急」に係わる割込放送の場合には最大音量にすることとした。しかしながらこれも必須ではない。例えば，音量が最大に固定されており調整できない管理受信機３０であってもよい。この場合，「緊急」以外の割込放送の場合でも最大音量で音声再生がなされることとなる。よって，「最大音量にする」ということに特段の意味はない。あるいは，音量が「大」と「中」の２水準のいずれかにしか調整できない管理受信機３０であってもよい。この場合，「緊急」の場合には「大」の音量を用い，「緊急」以外の場合には「中」の音量を用いることとなる。これらのような管理受信機３０を用いる場合でも本発明の範囲内である。
【００８１】
本実施の形態では，割込放送の最後に終了サインを送信し，これにより管理受信機３０での音声再生をオフに戻すこととした。しかしながらこれも必須ではない。終了サインを用いない方式も可能である。例えば，割込放送の「メッセージ」の時間の長さを固定としておくことが考えられる。この場合の管理受信機３０では，音声再生をオンにしてから当該「メッセージ」時間が経過した時点で音声再生をオフに戻すこととすればよい。
【００８２】
また，書き換え指示放送による遠隔書き換えについても，追加が先で消去が後，であってもよい。また，追加サインと消去サインとの両方が必ず必要というわけでもない。追加と消去との順序が決まっていれば，先に行う方の処理のサインを用いずに遠隔書き換えを実施する方式も可能である。また，遠隔書き換えに限らず管理受信機３０そのものへの直接の操作による書き換えが可能な構成であることを排除するものではない。
【符号の説明】
【００８３】
１    ラジオ放送システム
２    ラジオ放送局
３    管理自動販売機
４    細分エリア
５    サテライトスタジオ
６    放送提供エリア
２１  送信装置
２２  割込装置（緊急情報送信部，サイン挿入部）
２４  主制御サーバ（緊急情報送信部，サイン挿入部，細分エリア指定部，更新送信部）２９  送信アンテナ
３０  管理受信機
３１  受信アンテナ
３２  受信回路
３３  制御装置（スイッチング部，更新部）
３４  データファイル（細分エリア記憶部，識別情報記憶部）
３５  音声再生部
４０  グループ放送ボタン
４２  表示欄
４３  放送ボタン
４５  チェック欄
【図１】
2016226054.tif 000007
【図２】
2016226054.tif 000008
【図３】
2016226054.tif 000009
【図４】
2016226054.tif 000010
【図５】
2016226054.tif 000011
【図６】
2016226054.tif 000012
【図７】
2016226054.tif 000013
【図８】
2016226054.tif 000014
【図９】
2016226054.tif 000015
【図１０】
2016226054.tif 000016
【図１１】
2016226054.tif 000017